(57)【要約】【課題】下げ振りへの操作が容易にできるようにする。【解決手段】下げ振り２は、構築物１から水平方向の外方に突出するよう設置可能とされる剛性のバー５と、このバー５に支持されるリール６と、このリール６に巻き取り、繰り出し可能とされ、バー５の突出端側を通して垂下可能とされる吊り糸８と、この吊り糸８の垂下端に取り付けられる重り９と、バー５の長手方向で、構築物１の一部分１０に対しバー５を位置決め可能とする位置決め具１１とを備える。【選択図】図１
2007192656.tif 000002
【特許請求の範囲】
【請求項１】
構築物から水平方向の外方に突出するよう設置可能とされる剛性のバーと、このバーに支持されるリールと、このリールに巻き取り、繰り出し可能とされ、上記バーの突出端側を通して垂下可能とされる吊り糸と、この吊り糸の垂下端に取り付けられる重りと、上記バーの長手方向で、上記構築物の一部分に対し上記バーを位置決め可能とする位置決め具とを備えたことを特徴とする下げ振り。
【請求項２】
上記位置決め具が、上記バーからこのバーにほぼ直交する方向に突出し、上記構築物の一部分を形成する縦向き面に対し当接可能とされる位置決め突起を備えたことを特徴とする請求項１に記載の下げ振り。
【請求項３】
上記重りの下方で地面側上に設置され、上方に向かって開く容器と、この容器に貯留され、上記重りを水平方向に自由に移動可能に没入させると共に、この移動を抑制する流状体とを備えたことを特徴とする請求項１、もしくは２に記載の下げ振り。
【請求項４】
上記流状体が、上記容器に貯留される水と、この水に浮かべられる多数の球状浮体とを備えたことを特徴とする請求項３に記載の下げ振り。
【発明の詳細な説明】
【技術分野】
【０００１】
本発明は、吊り糸と、この吊り糸の垂下端に取り付けられる重りとを備えた下げ振りに関するものである。
【背景技術】
【０００２】
上記下げ振りには、従来、下記特許文献１に示されるものがある。この公報のものによれば、上記下げ振りは、構築物の上部などから外側方に向けて突設されるブラケットと、このブラケットの突出端側から垂下される吊り下げ具と、この吊り下げ具に支持され、下方に向けてレーザ光を発光するレーザ発光器とを備えている。
【０００３】
ところで、上記下げ振りは、レーザ発光器が構成要件とされていて高価である。また、このレーザ発光器から発光されるレーザ光が鉛直線上にあるのか否かの判断は容易でない。このため、従来、一般に、上記ブラケットと、このブラケットから垂下される吊り糸と、この吊り糸の垂下端に取り付けられる重りとを備えた下げ振りが多用されている。
【特許文献１】特開平９−５０８２号公報
【発明の開示】
【発明が解決しようとする課題】
【０００４】
ところで、上記吊り糸と重りとを備えた下げ振りによれば、例えば、構築物のうち、建物の外壁面の傾きは次のように測定される。即ち、まず、外壁面の上部からその外側方の吊り糸に至る上離間寸法と、上記外壁面の下部からその外側方の吊り糸に至る下離間寸法とが測定される。そして、これら上離間寸法と下離間寸法とが対比されて上記傾きが測定される。しかし、この場合、次のような問題点がある。
【０００５】
第１に、建物には、その外壁面の高さ方向の中途部に外側方に向かって突出する突起を備えたものがある。この場合、上記下げ振りの使用に際しては、上記突起に対する吊り糸の接触を回避するため、上記外壁面の上部から外側方に向けて上記ブラケットを大きく突出させ、このブラケットの突出端側から吊り糸を垂下させることが行われる。しかし、このようにした場合、吊り糸は建物側から大きく離れるため、重りの高さ調整などのために建物側から吊り糸に対して行う操作は煩雑となり、つまり、上記下げ振りへの操作が煩雑となる。
【０００６】
第２に、上記吊り糸は長いため、これを手作業にて収納するときにはもつれないよう操作することが要求される。また、この収納状態から手作業により上記のように垂下させるときには、その一端部から、順次、繰り出す必要もある。よって、上記吊り糸への操作は煩雑であり、つまり、この点でも、上記下げ振りへの操作が煩雑である。
【０００７】
第３に、風などの外力により、上記吊り糸と重りとが揺動することがある。この場合、上記揺動を抑制し、この揺動が収まるのを待ってから、上記下離間寸法を測定する必要がある。このため、上記揺動が大きいと、その分、上記下離間寸法の測定が煩雑であり、つまり、この点でも、下げ振りの操作が煩雑である。
【課題を解決するための手段】
【０００８】
本発明は、上記のような事情に注目してなされたもので、本発明の目的は、下げ振りへの操作が容易にできるようにすることである。
【０００９】
請求項１の発明は、構築物１から水平方向の外方に突出するよう設置可能とされる剛性のバー５と、このバー５に支持されるリール６と、このリール６に巻き取り、繰り出し可能とされ、上記バー５の突出端側を通して垂下可能とされる吊り糸８と、この吊り糸８の垂下端に取り付けられる重り９と、上記バー５の長手方向で、上記構築物１の一部分１０に対し上記バー５を位置決め可能とする位置決め具１１とを備えたものである。
【００１０】
請求項２の発明は、請求項１の発明に加えて、上記位置決め具１１が、上記バー５からこのバー５にほぼ直交する方向に突出し、上記構築物１の一部分１０を形成する縦向き面に対し当接可能とされる位置決め突起１３を備えたものである。
【００１１】
請求項３の発明は、請求項１、もしくは２の発明に加えて、上記重り９の下方で地面２０側上に設置され、上方に向かって開く容器２１と、この容器２１に貯留され、上記重り９を水平方向に自由に移動可能に没入させると共に、この移動を抑制する流状体２２とを備えものである。
【００１２】
請求項４の発明は、請求項３の発明に加えて、上記流状体２２が、上記容器２１に貯留される水２４と、この水２４に浮かべられる多数の球状浮体２５とを備えたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、構築物から水平方向の外方に突出するよう設置可能とされる剛性のバーと、このバーに支持されるリールと、このリールに巻き取り、繰り出し可能とされ、上記バーの突出端側を通して垂下可能とされる吊り糸と、この吊り糸の垂下端に取り付けられる重りと、上記バーの長手方向で、上記構築物の一部分に対し上記バーを位置決め可能とする位置決め具とを備えている。
【００１６】
このため、上記下げ振りにより、例えば、上記構築物の外壁面の傾きを測定しようとするときには、まず、構築物の一部分に対し下げ振りをその位置決め具により位置決めする。次に、上記リールから吊り糸を繰り出し、上記バーの突出端側を通して上記重りと共に垂下させる。次に、上記外壁面の上部からその外側方の吊り糸に至る上離間寸法を測定すると共に、上記外壁面の下部からその外側方の吊り糸に至る下離間寸法を測定する。そして、上記上離間寸法と下離間寸法との対比により上記傾きが測定される。
【００１７】
上記の場合、第１に、重りの高さ調整は、上記外壁面からのバーの突出寸法の大小にかかわらず、構築物側に位置する操作者が、この操作者の手元に位置する上記リールへの操作により吊り糸の巻き取り、もしくは繰り出しをすることにより容易に達成され、つまり、下げ振りへの操作が容易にできる。
【００１８】
第２に、上記吊り糸が長いとしても上記リールにより巻き取り、繰り出しがもつれることなくできるため、吊り糸への操作が容易にでき、つまり、下げ振りへの操作が容易にできる。
【００１９】
請求項２の発明は、上記位置決め具が、上記バーからこのバーにほぼ直交する方向に突出し、上記構築物の一部分を形成する縦向き面に対し当接可能とされる位置決め突起を備えている。
【００２０】
このため、上記位置決め具の構成は簡単であり、また、この位置決め具によるバーの位置決めは、上記構築物の一部分を形成する縦向き面に単に位置決め突起を当接させることにより達成される。よって、上記下げ振りへの操作が容易にできる。
【００２１】
請求項３の発明は、上記重りの下方で地面側上に設置され、上方に向かって開く容器と、この容器に貯留され、上記重りを水平方向に自由に移動可能に没入させると共に、この移動を抑制する流状体とを備えている。
【００２２】
このため、風などの外力により、上記吊り糸と重りとが揺動しようとすることは、上記流状体によって抑制される。よって、上記揺動が未然に小さく抑制される分、上記下離間寸法の測定が容易にでき、つまり、下げ振りへの操作が容易にできる。
【００２３】
請求項４の発明は、上記流状体が、上記容器に貯留される水と、この水に浮かべられる多数の球状浮体とを備えている。
【００２４】
ここで、上記水は入手や、不要になったときの処理が容易であるため、上記流状体の取り扱いが容易にでき、よって、下げ振りへの操作が容易にできる。
【発明を実施するための最良の形態】
【００２５】
本発明の下げ振りに関し、下げ振りへの操作が容易にできるようにする、という目的を実現するため、本発明を実施するための最良の形態は、次の如くである。
【００２６】
即ち、下げ振りは、構築物から水平方向の外方に突出するよう設置可能とされる剛性のバーと、このバーに支持されるリールと、このリールに巻き取り、繰り出し可能とされ、上記バーの突出端側を通して垂下可能とされる吊り糸と、この吊り糸の垂下端に取り付けられる重りと、上記バーの長手方向で、上記構築物の一部分に対し上記バーを位置決め可能とする位置決め具とを備えている。
【実施例】
【００２７】
本発明をより詳細に説明するために、その実施例を添付の図に従って説明する。
【００２８】
図中符号１は建物で例示される構築物であり、符号２は、この構築物１の外壁面３の傾きを測定するための下げ振りである。勿論、この下げ振り２は他の種々の目的に使用可能である。
【００２９】
上記下げ振り２は、上記構築物１の外壁面３から水平方向の外方に突出するよう上記構築物１の水平な上面４上に設置可能とされる剛性バー５と、このバー５の長手方向の中途部上面に支持されるリール６と、このリール６に巻き取り、繰り出し可能とされ、上記バー５の突出端５ａ側である突出端５ａに取り付けられたチューブ製ガイド７を通して垂下可能とされる吊り糸８と、この吊り糸８の垂下端に取り付けられる重り９とを備えている。
【００３０】
上記上面４は構築物１の上端部の上面であるが、この構築物１における窓の下部開口縁の上面などであってもよい。上記バー５は木製やアルミ製などであって、断面が矩形状をなしている。また、上記リール６は手動操作により吊り糸８の巻き取り、繰り出しが可能であり、かつ、これらを阻止するような吊り糸８のロックが可能とされている。
【００３１】
また、上記下げ振り２は、上記バー５の長手方向で、上記構築物１の一部分１０を形成する縦向き面に対し上記バー５を位置決め可能とする位置決め具１１を備えている。図例では、上記構築物１の一部分１０を形成する縦向き面とは、この構築物１の上端部の外壁面３であり、この外壁面３はほぼ鉛直方向に延びている。上記位置決め具１１は、上記リール６の突出端側に所定ピッチで形成される複数の位置決め孔１２と、これら位置決め孔１２のうちのいずれかに選択的に嵌入可能とされる軸形状の位置決め突起１３とを備えている。
【００３２】
上記位置決め孔１２に嵌入された位置決め突起１３の嵌入端は上記バー５からこのバー５にほぼ直交する方向に突出している。上記位置決め突起１３の嵌入端は、上記構築物１の一部分１０を形成する縦向き面である外壁面３に対し当接させられて、この外壁面３に対し上記バー５が位置決めされる。上記位置決め突起１３を他の位置決め孔１２に嵌入させることにより、上記のように位置決めされる位置が可変とされる。
【００３３】
上記リール６よりも、上記バー５の突出端５ａとは反対側の基端５ｂ側におけるこのバー５の上面に水準器１６が取り付けられている。また、上記リール６よりも、上記バー５の突出端５ａ側におけるこのバー５の側面に一対の係止突起１７，１７が突設されている。上記リール６からガイド７に至るまでの吊り糸８を上記係止突起１７に絡み付ければ、これら係止突起１７に対する上記吊り糸８の摺動が防止される。このため、上記リール６が自由回転状態であるとしても、上記重り９が不意に急速に落下するということは防止される。
【００３４】
上記重り９の下方で、地面２０側上に設置され、上方に向かって開く持ち運び可能な容器２１と、この容器２１に貯留され、上記重り９の下部側のみを没入させる流状体２２が設けられている。この流状体２２は、上記容器２１に貯留される水２４と、この水２４に浮かべられる多数の球状浮体２５とを備えている。これら球状浮体２５は互いに当接した状態で、水２４の水面に浮かべられる。
【００３５】
上記容器２１内の流状体２２に、上記重り９の下部側が水平方向に自由に移動可能に没入させられている。この重り９が上記バー５の突出端５ａを中心として揺動するよう移動しようとするとき、この重り９は各球状浮体２５を押動する。すると、これら球状浮体２５が水２４から与えられる流動抵抗により、上記重り９の移動が抑制される。
【００３６】
上記下げ振り２により、例えば、上記構築物１の外壁面３の傾きを測定しようとするときには、まず、構築物１の一部分１０に対し下げ振り２をその位置決め具１１により位置決めする。次に、上記リール６から吊り糸８を繰り出し、上記バー５の突出端５ａ側を通して上記重り９と共に垂下させる。次に、上記外壁面３の上部からその外側方の吊り糸８に至る上離間寸法ＬＨをメジャー２６により測定すると共に、上記外壁面３の下部からその外側方の吊り糸８に至る下離間寸法ＬＬを測定する。そして、上記上離間寸法ＬＨと下離間寸法ＬＬとの対比により上記傾きが測定される。
【００３７】
上記の場合、第１に、重り９の高さ調整は、上記外壁面３からのバー５の突出寸法の大小にかかわらず、構築物１側に位置する操作者が、この操作者の手元に位置する上記リール６への操作により吊り糸８の巻き取り、もしくは繰り出しをすることにより容易に達成され、つまり、下げ振り２への操作が容易にできる。
【００３８】
第２に、上記吊り糸８が長いとしても上記リール６により巻き取り、繰り出しがもつれることなくできるため、吊り糸８への操作が容易にでき、つまり、下げ振り２への操作が容易にできる。
【００３９】
また、前記したように、位置決め具１１が、上記バー５からこのバー５にほぼ直交する方向に突出し、上記構築物１の一部分１０を形成する縦向き面に対し当接可能とされる位置決め突起１３を備えている。
【００４０】
このため、上記位置決め具１１の構成は簡単であり、また、この位置決め具１１によるバー５の位置決めは、上記構築物１の一部分１０を形成する縦向き面に単に位置決め突起１３を当接させることにより達成される。よって、上記下げ振り２への操作が容易にできる。
【００４１】
また、前記したように、重り９の下方で地面２０側上に設置され、上方に向かって開く容器２１と、この容器２１に貯留され、上記重り９を水平方向に自由に移動可能に没入させると共に、この移動を抑制する流状体２２とを備えている。
【００４２】
このため、風などの外力により、上記吊り糸８と重り９とが揺動しようとすることは、上記流状体２２によって抑制される。よって、上記揺動が未然に小さく抑制される分、上記下離間寸法ＬＬの測定が容易にでき、つまり、下げ振り２への操作が容易にできる。
【００４３】
また、前記したように、流状体２２が、上記容器２１に貯留される水２４と、この水２４に浮かべられる多数の球状浮体２５とを備えている。
【００４４】
ここで、上記水２４は入手や、不要になったときの処理が容易であるため、上記流状体２２の取り扱いが容易にでき、よって、下げ振り２への操作が容易にできる。
【００４５】
なお、以上は図示の例によるが、構築物１は建物以外のタンクや機械の架台のようなものであってもよい。
【図面の簡単な説明】
【００４６】
【図１】側面部分破断部分断面図である。
【図２】下げ振りの平面図である。
【符号の説明】
【００４７】
１    構築物
２    下げ振り
３    外壁面
４    上面
５    バー
５ａ  突出端
５ｂ  基端
６    リール
８    吊り糸
９    重り
１０  一部分
１１  位置決め具
１２  位置決め孔
１３  位置決め突起
２０  地面
２１  容器
２２  流状体
２４  水
２５  球状浮体
ＬＨ  上離間寸法
ＬＬ  下離間寸法
【図１】
2007192656.tif 000003
【図２】
2007192656.tif 000004